【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
複数の走査線と複数のデータ線との交差に対応して複数の画素回路が配列された発光装置を駆動し、前記画素回路は発光素子と前記発光素子に流れる駆動電流の電流量を制御する駆動トランジスタとを備え、第１期間と前記第１期間より後の第２期間とを含む単位期間の処理によって発光装置を駆動する発光装置の駆動方法であって、
前記第１期間では、前記複数の走査線のうち２以上の走査線を選択し、選択した走査線に接続される複数の画素回路において、前記駆動トランジスタのしきい値電圧を補正する電圧を生成し、
前記第２期間では、前記複数の走査線のうち一つの走査線を選択し、選択した走査線に接続される複数の画素回路に対して、前記複数のデータ線を介して、前記前記発光素子が発光すべき輝度に応じたデータ電圧を供給する
ことを特徴とする発光装置の駆動方法。
【請求項２】
前記複数の画素回路の各々において、前記第２期間のうち、前記データ電圧を前記駆動トランジスタのゲートに供給して保持する期間を書込期間としたとき、前記書込期間より前にある複数の前記第１期間の一部又は全部に複数の補正期間を割り当て、当該複数の補正期間において前記駆動トランジスタから出力される前記駆動電流のバラツキを補正する、ことを特徴とする請求項１に記載の発光装置の駆動方法。
【請求項３】
前記複数の画素回路の各々は、前記駆動トランジスタのゲート電位を保持する保持手段と、前記駆動トランジスタのゲートとドレインとの間に設けられた第１スイッチング手段と、一端が前記駆動トランジスタのゲートに接続される容量素子と、前記データ線と前記容量素子の他端との間に設けられた第２スイッチング手段とを備え、
前記複数の補正期間において、前記第１スイッチング手段をオン状態にして前記駆動トランジスタから出力される前記駆動電流のバラツキを補正し、
前記複数の補正期間のうち少なくとも最後の補正期間において、前記データ線に基準電圧を供給すると共に前記第２スイッチング手段をオン状態にし、
前記書込期間において、前記データ線に前記データ電圧を供給し、前記１スイッチング手段をオフ状態にするとともに前記第２スイッチング手段をオン状態にして、前記駆動トランジスタのゲートに前記データ電圧を供給し、当該データ電圧を前記保持手段で保持する
ことを特徴とする請求項２に記載の発光装置の駆動方法。
【請求項４】
前記複数の補正期間は、前記書込期間より前にある複数の前記第１期間の一部に割り当てられており、
前記複数の補正期間のうちある補正期間と次の補正期間との間の前記第１期間に休止期間を設け、当該休止期間では、前記駆動トランジスタから出力される前記駆動電流のバラツキを補正しないことを特徴とする請求項２又は３に記載の発光装置の駆動方法。
【請求項５】
前記複数の補正期間のうち最初の補正期間より前の前記第１期間に初期化期間を設け、
当該初期化期間において、前記駆動トランジスタのゲート電位を初期化電位に設定することを特徴とする請求項２乃至４のうちいずれか１項に記載の発光装置の駆動方法。
【請求項６】
前記複数の画素回路の各々は、前記駆動トランジスタのドレインと前記発光素子との間に設けられた第３スイッチング手段を備え、
前記初期化期間において、前記第１スイッチング手段をオン状態とし、前記第２スイッチング手段をオフ状態とし、前記第３スイッチング手段をオン状態とする、
ことを特徴とする請求項５に記載の発光装置の駆動方法。
【請求項７】
前記書込期間が終了した後に、前記駆動電流を前記発光素子に供給する発光期間を設け、前記発光期間を、複数の期間に分割して設けたことを特徴とする請求項８に記載の発光
装置の駆動方法。
【請求項８】
複数の走査線と、複数のデータ線と、複数の第１制御線と、複数の走査線と複数のデータ線との交差に対応して配置され、各々が、発光素子と、前記発光素子に流れる駆動電流の電流量を制御する駆動トランジスタと、前記駆動トランジスタのゲート電位を保持する保持手段と、前記駆動トランジスタのゲートとドレインとの間に設けられ前記第１制御線を介して供給される第１制御信号に基づいてオン・オフが制御される第１スイッチング手段と、一端が前記駆動トランジスタのゲートに接続される容量素子と、前記データ線と前記容量素子の他端との間に設けられ前記走査線を介して供給される走査信号に基づいてオン・オフが制御される第２スイッチング手段とを備えた複数の画素回路とを備えた発光装
置を、第１期間と前記第１期間より後の第２期間とを含む単位期間の処理を繰り返して駆動する発光装置の駆動回路であって、
前記第２期間では前記複数の走査線のうち一つの走査線を順次選択し、前記第１期間では前記複数の走査線のうち２以上の走査線を選択する複数の前記走査信号を前記複数の走査線に供給して、前記第２スイッチング手段がオン状態となるように制御する走査線駆動手段と、
前記第１期間において基準電圧を前記データ線に供給するとともに、前記第２期間において前記発光素子の輝度に応じたデータ電圧を前記データ線に供給するデータ線駆動手段と、
前記複数の画素回路の各々において、前記第２期間のうち、前記データ電圧を前記駆動トランジスタのゲートに供給して保持する期間を書込期間としたとき、前記書込期間より前にある複数の前記第１期間の一部又は全部に複数の補正期間を割り当て、当該複数の補正期間において前記第１スイッチング手段がオン状態になるように前記複数の第１制御線の各々に前記第１制御信号を供給する制御線駆動手段と、
を備えることを特徴とする発光装置の駆動回路。
【請求項９】
前記発光装置は、複数の第２制御線を備え、前記複数の画素回路の各々は、前記駆動トランジスタのドレインと前記発光素子との間に設けられ、前記第２制御線を介して供給される第２制御信号に基づいてオン・オフが制御される第３スイッチング手段を有し、
前記制御線駆動手段は、前記複数の画素回路の各々において、前記複数の補正期間のうち最初の補正期間より前の前記第１期間を初期化期間としたとき、当該初期化期間において、前記第３スイッチング手段がオン状態になるように前記複数の第２制御線の各々に前記第２制御信号を供給する、
ことを特徴とする請求項８に記載の発光装置の駆動回路。
【請求項１０】
複数の走査線と、
複数のデータ線と、
複数の第１制御線と、
複数の走査線と複数のデータ線との交差に対応して配置され、各々が、発光素子と、前記発光素子に流れる駆動電流の電流量を制御する駆動トランジスタと、前記駆動トランジスタのゲート電位を保持する保持手段と、前記駆動トランジスタのゲートとドレインとの間に設けられ前記第１制御線を介して供給される第１制御信号に基づいてオン・オフが制御される第１スイッチング手段と、一端が前記駆動トランジスタのゲートに接続される容量素子と、前記データ線と前記容量素子の他端との間に設けられ前記走査線を介して供給される走査信号に基づいてオン・オフが制御される第２スイッチング手段とを備えた複数の画素回路と、
第１期間と前記第１期間より後の第２期間とを含む単位期間の処理を繰り返し、前記第１期間において基準電圧を前記データ線に供給するとともに、前記第２期間において前記発光素子の輝度に応じたデータ電圧を前記データ線に供給するデータ線駆動手段と、
前記第２期間では前記複数の走査線のうち一つの走査線を順次選択し、前記第１期間では前記複数の走査線のうち２以上の走査線を選択する複数の前記走査信号を前記複数の走査線に供給して、前記第２スイッチング手段がオン状態となるように制御する走査線駆動手段と、
前記複数の画素回路の各々において、前記第２期間のうち、前記データ電圧を前記駆動トランジスタのゲートに供給して保持する期間を書込期間としたとき、前記書込期間より前にある複数の前記第１期間の一部又は全部に複数の補正期間を割り当て、当該複数の補正期間において前記第１スイッチング手段がオン状態になるように前記複数の第１制御線の各々に前記第１制御信号を供給する制御線駆動手段と、
を備えることを特徴とする発光装置。
【請求項１１】
複数の第２制御線を備え、
前記複数の画素回路の各々は、前記駆動トランジスタのドレインと前記発光素子との間に設けられ、前記第２制御線を介して供給される第２制御信号に基づいてオン・オフが制御される第３スイッチング手段を有し、
前記制御線駆動手段は、前記複数の画素回路の各々において、前記複数の補正期間のうち最初の補正期間より前の前記第１期間を初期化期間としたとき、当該初期化期間において、前記第３スイッチング手段がオン状態になるように前記複数の第２制御線の各々に前記第２制御信号を供給する、
ことを特徴とする請求項１０に記載の発光装置。
【請求項１２】
複数の走査線と複数のデータ線との交差に対応して複数の画素回路が配列され、前記画素回路は発光素子と前記発光素子を流れる駆動電流の電流量を制御する駆動トランジスタとを備える発光装置であって、
第１期間において、１水平期間において前記複数の走査線のうち２以上の走査線が選択され、選択した走査線に接続される複数の画素回路において、前記駆動トランジスタのしきい値電圧を補正する電圧を生成し、
前記第１期間の後の第２期間において、前記複数の走査線のうち一の走査線が選択され、選択した走査線に接続される複数の画素回路に対して、前記複数のデータ線を介して、前記前記発光素子が発光すべき輝度に応じたデータ電圧を供給することを特徴とする発光装置。
【請求項１３】
複数の走査線と複数のデータ線との交差に対応して複数の画素回路が設けられ、前記画素回路は、発光素子、前記発光素子を流れる駆動電流を制御する駆動トランジスタ及び前記駆動トランジスタのゲートに印加されるべき電圧を保持する容量を備える発光装置であって、
前記走査線が選択される期間を水平走査期間とし、
複数の前記水平走査期間からなる補正期間によって、前記画素回路で前記駆動トランジスタのしきい値を補正するための電圧が前記容量に保持され、
前記補正期間の後のプログラム期間において、前記データ線からデータ信号が前記画素回路に供給され、
前記プログラム期間の後の発光期間において、前記駆動トランジスタの閾値を補正するための電圧と前記データ信号とに基づく電圧が前記駆動トランジスタのゲートに印加されていることにより、前記発光素子が発光することを特徴とする発光装置。
【請求項１４】
請求項１０乃至１３のいずれかに記載の発光装置を備えた電子機器。
【手続補正２】
【補正対象書類名】明細書
【補正対象項目名】００２０
【補正方法】変更
【補正の内容】
【００２０】
上述した発光装置において、複数の第２制御線を備え、前記複数の画素回路の各々は、前記駆動トランジスタのドレインと前記発光素子との間に設けられ、前記第２制御線を介して供給される第２制御信号に基づいてオン・オフが制御される第３スイッチング手段を有し、前記制御線駆動手段は、前記複数の画素回路の各々において、前記複数の補正期間のうち最初の補正期間より前の前記第１期間を初期化期間としたとき、当該初期化期間において、前記第３スイッチング手段がオン状態になるように前記複数の第２制御線の各々に前記第２制御信号を供給することを特徴とする。この発明によれば、最初の補正期間より前に初期化期間を設けたので、確実の補正動作を実行することができる。
また、本発明は、複数の走査線と複数のデータ線との交差に対応して複数の画素回路が配列され、前記画素回路は発光素子と前記発光素子を流れる駆動電流の電流量を制御する駆動トランジスタとを備える発光装置であって、第１期間において、１水平期間において前記複数の走査線のうち２以上の走査線が選択され、選択した走査線に接続される複数の画素回路において、前記駆動トランジスタのしきい値電圧を補正する電圧を生成し、前記第１期間の後の第２期間において、前記複数の走査線のうち一の走査線が選択され、選択した走査線に接続される複数の画素回路に対して、前記複数のデータ線を介して、前記前記発光素子が発光すべき輝度に応じたデータ電圧を供給することを特徴とする。
複数の走査線と複数のデータ線との交差に対応して複数の画素回路が設けられ、前記画素回路は、発光素子、前記発光素子を流れる駆動電流を制御する駆動トランジスタ及び前記駆動トランジスタのゲートに印加されるべき電圧を保持する容量を備える発光装置であって、前記走査線が選択される期間を水平走査期間とし、複数の前記水平走査期間からなる補正期間によって、前記画素回路で前記駆動トランジスタのしきい値を補正するための電圧が前記容量に保持され、前記補正期間の後のプログラム期間において、前記データ線からデータ信号が前記画素回路に供給され、前記プログラム期間の後の発光期間において、前記駆動トランジスタの閾値を補正するための電圧と前記データ信号とに基づく電圧が前記駆動トランジスタのゲートに印加されていることにより、前記発光素子が発光することを特徴とする。